(57)【要約】【課題】ランプソケットと係合されるインバータユニットのひび割れを防止するためのひび割れ防止構造が設けられたバックライトユニット及びこれを備えた液晶表示装置を提供する。【解決手段】所定の収納空間が形成された収納部材と、前記収納部材の上に配設される少なくとも１対のランプソケットと、前記少なくとも１対のランプソケットと係合される少なくとも１つのランプと、前記少なくとも１対のランプソケットと係合され、前記少なくとも１つのランプに電源を供給するインバータユニットとを備え、前記収納部材は、前記インバータユニットをガイドするためのガイド部をさらに備える。【選択図】      図９
2008027880.tif 000002
【特許請求の範囲】
【請求項１】
所定の収納空間が形成された収納部材と、
前記収納部材の上に配設される少なくとも１対のランプソケットと、
前記少なくとも１対のランプソケットと係合される少なくとも１つのランプと、
前記少なくとも１対のランプソケットと係合され、前記少なくとも１つのランプに電源を供給するインバータユニットとを備え、
前記収納部材は、前記インバータユニットをガイドするためのガイド部をさらに備えることを特徴とするバックライトユニット。
【請求項２】
前記各ランプソケットは、ボディと、
前記ボディの一方の端に設けられた第１のコネクタと、
前記ボディの他方の端に設けられた第２のコネクタとを備えることを特徴とする請求項１に記載のバックライトユニット。
【請求項３】
前記ランプソケットの第１のコネクタは、前記収納部材の下部の一方の面に配設され、前記第２のコネクタは前記収納部材の下部の他方の面に配設されることを特徴とする請求項２に記載のバックライトユニット。
【請求項４】
前記少なくとも１対のランプソケットの内の一方は、前記収納部材の一方の側に配設され、他方は前記収納部材の他方の側に配設されることを特徴とする請求項２に記載のバックライトユニット。
【請求項５】
前記ランプは、所定の放電ガスと蛍光物質層を有するランプチューブと、
前記ランプチューブの両端に設けられた電極部とを備えることを特徴とする請求項２に記載のバックライトユニット。
【請求項６】
前記電極部は、前記ランプソケットの第１のコネクタに接続されることを特徴とする請求項５に記載のバックライトユニット。
【請求項７】
前記インバータユニットは、少なくとも１つのインバータと、
前記インバータが実装されるインバータプリント回路基板と、
前記インバータプリント回路基板の一方の端に設けられたインバータ電極部とを備えることを特徴とする請求項５に記載のバックライトユニット。
【請求項８】
前記インバータ電極部は、前記ランプソケットの第２のコネクタに接続されることを特徴とする請求項７に記載のバックライトユニット。
【請求項９】
前記インバータ電極部は、前記インバータプリント回路基板の一方の端に突設されることを特徴とする請求項７に記載のバックライトユニット。
【請求項１０】
前記インバータプリント回路基板の一方の側及び他方の側には、突出部がそれぞれ設けられることを特徴とする請求項７に記載のバックライトユニット。
【請求項１１】
前記突出部は、前記ガイド部に対応する領域に設けられることを特徴とする請求項１０に記載のバックライトユニット。
【請求項１２】
前記ガイド部は、前記収納部材の一方の側に設けられる第１のガイドと、
前記第１のガイドと対向するように、前記収納部材の他方の側に設けられる第２のガイドとを備えることを特徴とする請求項１に記載のバックライトユニット。
【請求項１３】
前記第１及び第２のガイドは、屈曲した所定の形状を有することを特徴とする請求項１２に記載のバックライトユニット。
【請求項１４】
前記第１及び第２のガイドは、その断面形状が「Ｌ」字形状をなすことを特徴とする請求項１３に記載のバックライトユニット。
【請求項１５】
前記ガイド部と前記収納部材は一体で形成されることを特徴とする請求項１２に記載のバックライトユニット。
【請求項１６】
前記第１のガイドは複数であり、各第１のガイドは所定の間隔を隔てて配設され、前記第２のガイドは複数であり、各第２のガイドは所定の間隔を隔てて配設されることを特徴とする請求項１２に記載のバックライトユニット。
【請求項１７】
画像をディスプレイするための液晶表示パネルと、
所定の収納空間が形成された収納部材と、前記収納部材の上に配設される少なくとも１対のランプソケットと、前記少なくとも１対のランプソケットと係合される少なくとも１つのランプと、前記少なくとも１対のランプソケットと係合され、前記少なくとも１つのランプに電源を供給するためのインバータユニットとを備え、
前記収納部材は、前記インバータユニットをガイドするためのガイド部をさらに備えることを特徴とするバックライトユニットを備えた液晶表示装置。
【発明の詳細な説明】
【技術分野】
【０００１】
本発明はバックライトユニット及びこれを備えた液晶表示装置に係り、さらに詳しくは、ランプソケットと係合されるインバータユニットのひび割れを防止するためのひび割れ防止構造が設けられたバックライトユニット及びこれを備えた液晶表示装置に関する。
【背景技術】
【０００２】
液晶表示パネル製造メーカー間の競争が激しくなるに伴い、各液晶表示パネル製造メーカーは、コスト節減及び特性改善を両立できる製品の開発に全力を尽くしている。特に、コスト節減のための新規な方式のバックライトに関する研究が盛んになされている。
一方、バックライトを駆動するためにはインバータが必要であるが、このインバータとランプは種々の方式により接続されていた。
【０００３】
従来の技術によるランプとインバータとの接続方式としては、例えば、ランプとインバータをワイヤとコネクタを用いて接続する方式がある。ところが、この方式の場合、インバータを脱着するときに、インバータの再作業のためにランプまで取り外さなければならないという欠点があった。
また、従来の技術によるランプとインバータとの接続方式としては、他の例として、ワイヤとコネクタを用いることに代えて、スライド方式によりインバータ電極部をコネクタに挿入する方式がある。
【０００４】
ところが、この方式は、組立性及び分解性が向上するというメリットがあるのに対し、インバータ電極部が挿入されるコネクタ、若しくはインバータ電極部においてひび割れが起こる恐れがあるという問題点がある。インバータは高圧を用いるものであって、ひび割れが起こる場合、ランプの駆動不良はもとより、火災が起こる危険性を内在しているが故に、現在、この問題点を解消するための方案の模索が切望されている。
【発明の開示】
【発明が解決しようとする課題】
【０００５】
そこで、本発明は上記従来のバックライトユニット及びこれを備えた液晶表示装置における問題点に鑑みてなされたものであって、本発明の目的は、ランプソケットと係合されるインバータユニットのひび割れを防止するためのひび割れ防止構造が設けられたバックライトユニット及びこれを備えた液晶表示装置を提供することにある。
【課題を解決するための手段】
【０００６】
上記目的を達成するためになされた本発明によるバックライトユニットは、所定の収納空間が形成された収納部材と、前記収納部材の上に配設される少なくとも１対のランプソケットと、前記少なくとも１対のランプソケットと係合される少なくとも１つのランプと、前記少なくとも１対のランプソケットと係合されて、前記少なくとも１つのランプに電源を供給するためのインバータユニットとを備え、前記収納部材は、前記インバータユニットをガイドするためのガイド部をさらに備えることを特徴とする。
【０００７】
前記各ランプソケットは、ボディと、前記ボディの一方の端に設けられた第１のコネクタと、前記ボディの他方の端に設けられた第２のコネクタとを備えることが好ましい。
前記ランプソケットの第１のコネクタは、前記収納部材の下部の一方の面に配設され、前記第２のコネクタは前記収納部材の下部の他方の面に配設されることが好ましい。
前記少なくとも１対のランプソケットの内の一方は、前記収納部材の一方の側に配設され、他方は前記収納部材の他方の側に配設されることが好ましい。
前記ランプは、所定の放電ガスと蛍光物質層を有するランプチューブと、前記ランプチューブの両端に設けられた電極部とを備えることが好ましい。
前記電極部は、前記ランプソケットの第１のコネクタに接続されることが好ましい。
前記インバータユニットは、少なくとも１つのインバータと、前記インバータが実装されるインバータプリント回路基板と、前記インバータプリント回路基板の一方の端に設けられたインバータ電極部とを備えることが好ましい。
前記インバータ電極部は、前記ランプソケットの第２のコネクタに接続されることが好ましい。
前記インバータ電極部は、前記インバータプリント回路基板の一方の端に突設されることが好ましい。
前記インバータプリント回路基板の一方の側及び他方の側には、突出部がそれぞれ設けられることが好ましい。
前記突出部は、前記ガイド部に対応する領域に設けられることが好ましい。
前記ガイド部は、前記収納部材の一方の側に設けられる第１のガイドと、前記第１のガイドと対向するように、前記収納部材の他方の側に設けられる第２のガイドとを備えることが好ましい。
前記第１及び第２のガイドは、屈曲した所定の形状を有することが好ましい。
前記第１及び第２のガイドは、その断面形状が「Ｌ」字形状をなすことが好ましい。
前記ガイド部と前記収納部材は一体で形成されることが好ましい。
前記第１のガイドは複数であり、各第１のガイドは所定の間隔を隔てて配設され、前記第２のガイドは複数であり、各第２のガイドは所定の間隔を隔てて配設されることが好ましい。
【０００８】
上記目的を達成するためになされた本発明による液晶表示装置は、画像をディスプレイするための液晶表示パネルと、所定の収納空間が形成された収納部材と、前記収納部材の上に配設された少なくとも１対のランプソケットと、前記少なくとも１対のランプソケットと係合される少なくとも１つのランプと、前記少なくとも１対のランプソケットと係合され、前記少なくとも１つのランプに電源を供給するインバータユニットとを備え、前記収納部材は、前記インバータユニットをガイドするためのガイド部をさらに備えることを特徴とする。
【発明の効果】
【０００９】
本発明に係るバックライトユニット及びこれを備えた液晶表示装置によれば、バックライトの下部収納部材にインバータユニットの脱着経路をガイドするためのガイド部を設けて、ランプソケットのコネクタにスライド方式により脱着を行うとき、インバータユニットの上下遊動を防ぐことにより、インバータユニットのひび割れ、若しくは破損を防止することができるという効果がある。
【発明を実施するための最良の形態】
【００１０】
次に、本発明に係るバックライトユニット及びこれを備えた液晶表示装置を実施するための最良の形態の具体例を図面を参照しながら説明する。
図１（ａ）及び（ｂ）は、本発明によるランプソケットの概略斜視図及び側面図である。
【００１１】
図１（ａ）及び（ｂ）を参照すると、ランプソケット５００は、ボディ５１０、第１のコネクタ５２０及び第２のコネクタ５３０を備える。
ボディ５１０の一方の端、好ましくは、ボディの上端部に第１のコネクタ５２０が設けられ、ボディ５１０の他方の端、好ましくは、ボディの下端部に第２のコネクタ５３０が設けられる。第１のコネクタ５２０には、ランプの一方の端を収容するための所定の空間が形成され、後述するランプの電極部が第１のコネクタ５２０に挿入されて電気的及び機械的に接続される。第２のコネクタ５３０には、第１のコネクタに接続されたランプの電極部に電源を供給するための、後述するインバータ電極部が挿入されて接続される。
【００１２】
図では示していないが、第１のコネクタ５２０と第２のコネクタ５３０は、ボディ５１０の内部において互いに電気的に接続されるようになっている。結果的に、ランプ電極部とインバータ電極部はランプソケットの第１のコネクタ５２０と第２のコネクタ５３０を介して接続される。
【００１３】
図２は、本発明によるランプソケットが下部収納部材と係合された状態を示す概略断面図であり、図３及び図４は、本発明によるランプソケットにランプが係合された状態を示す平面図及び斜視図であり、そして図５は、本発明によるランプの概略断面図である。
図２には、ランプソケット５００が下部収納部材９００と係合された状態が示してある。ランプソケットの第１のコネクタ５２０が設けられた上端部は下部収納部材９００の上部面に配設され、第２のコネクタ５３０が設けられた下端部は下部収納部材９００の下部面に配設される。
【００１４】
このとき、下部収納部材９００の上部面は収納空間が形成される面であり、下部面はその反対面である。また、下部収納部材９００には所定の形状、好ましくは、ランプソケットに対応する形状のホール（図示せず）が設けられ、このホールにランプソケット５００が嵌着される。
【００１５】
図３及び図４には、ランプソケット５００にランプ４００が係合された状態がそれぞれ示してある。
ランプソケット５００の一部は下部収納部材９００の一方の側に所定の間隔を隔てて配設される。また、図では示していないが、残りのランプソケット５００は、下部収納部材９００の一方の側と対向する他方の側に対称的に配設される。
【００１６】
図５を参照すると、ランプ４００は、ランプチューブ４１０及び電極部４２０を備え、ランプチューブ４１０は、チューブ胴体４１１、蛍光物質層４１２及び放電ガス４１３を備え、そしてランプチューブ４１０の両端にはランプ電極４２１及びリード線４２２よりなる電極部４２０が設けられる。
【００１７】
このような構成を有するランプ４００は、リード線４２２を介して外部より電源電圧が加えられると、リード線４２２に接続されたランプ電極４２１に電源電圧が供給される。すなわち、ランプのリード線４２２はランプソケットの第１のコネクタ５２０に接続されるが、第２のコネクタ５３０を介して外部より供給された電源電圧は、第１のコネクタ５２０とリード線４２２を経てランプ電極４２１に加えられる。このように、ランプ電極４２１に電源電圧が加えられると、ランプチューブ内の放電ガス４１３がプラズマ化して生じた非可視光が蛍光物質層４１２を刺激して、外部に可視光が出射する。
なお、本実施形態においては、上述の如き冷陰極線管方式のランプを用いたが、本発明はこれに何ら限定されるものではなく、種々のランプが用いられることが可能である。
【００１８】
図６は、本発明によるインバータユニットの概略平面図であり、図７は、図６の部分拡大図である。
図６及び図７を参照すると、インバータユニット６００は、インバータ６１０、インバータプリント回路基板６２０及びインバータ電極部６３０を備える。
通常、冷陰極線管方式のランプは交流電圧により駆動されるため、このランプを駆動するために、インバータ６１０は、外部より供給される直流電圧を交流電圧に変換して出力する機能を行う。
【００１９】
インバータプリント回路基板６２０には所定の回路パターンが形成され、その上にインバータ６１０が実装される。インバータプリント回路基板６２０には、インバータ６１０に加えて、出力された交流電圧のレベルを変えるためのトランスフォーマ（図示せず）及びインバータの動作を制御するためのコントローラ（図示せず）などがさらに実装されてもよい。
【００２０】
インバータ電極部６３０は、インバータ６１０を介して変換された交流電圧が出力される出力端子であって、インバータプリント回路基板６２０の一方の端に設けられる。このようなインバータ電極部６３０は、所定の回路パターン（図示せず）によりインバータ６１０と電気的に接続される。
さらに、インバータ電極部６３０は、下部収納部材９００の下部面に配設されたランプソケットの第２のコネクタ５３０に挿入されて接続される。
【００２１】
図８は、本発明の第１の実施形態によるバックライトユニットにおいて、インバータユニットを係合する過程を示す状態図であり、図９及び図１０は、本発明の第１の実施形態によるバックライトユニットの下部収納部材の底面斜視図及び側面図である。
図８〜図１０を参照すると、下部収納部材９００の下部面には、インバータユニット６００（６１０〜６３０）がランプソケットの第２のコネクタ５３０に脱着される経路をガイドするためのガイド部９１０（９１１ａ、９１２ａ）が設けられる。
【００２２】
下部収納部材９００の下部面の一方の側、本実施形態の図中では、上部側には第１のガイド９１１ａが設けられ、下部収納部材９００の下部面の他方の側、本実施形態の図中では、下部側には第２のガイド９１２ａが設けられる。一方、ランプソケットの第２のコネクタ５３０は、下部収納部材の左側及び右側にそれぞれ配設されるが、説明の便宜のために、右側に配設される第２のコネクタは図示を省略している。
【００２３】
第１のガイド９１１ａ及び第２のガイド９１２ａは、屈曲した所定の形状を有し、好ましくは、各ガイドは断面が「Ｌ」字状をなす。すなわち、第１のガイド９１１ａの一方の端は下部収納部材９００の下部面から垂直に所定の高さだけ延設され、他方の端は第２のガイド９１２ａが配設された方向に下部収納部材の下部面とは平行に折り曲げられる。また、第２のガイド９１２ａの一方の端は下部収納部材９００の下部面から垂直に所定の高さだけ延設され、他方の端は第１のガイド９１１ａが配設された方向に下部収納部材の下部面とは平行に折り曲げられる。
【００２４】
このとき、ガイド部９１０と下部収納部材９００は一体に形成されることが好ましい。
また、第１のガイド９１１ａ及び第２のガイド９１２ａの一方の端の長さ（すなわち、第１のガイド及び第２のガイドの高さ）はインバタプリント回路基板６２０の厚さよりは大き目にすることが好ましく、第１のガイド９１１ａ及び第２のガイド９１２ａの他方の端の長さは、インバータプリント回路基板６２０の一方の側及び他方の側の一部を覆う程度に延設されることが好ましい。さらに、第１のガイド９１１ａ及び第２のガイド９１２ａの幅は、インバータプリント回路基板６２０の幅に見合うように形成することが好ましい。
【００２５】
インバータユニット６００は、ガイド部９１０（９１１ａ、９１２ａ）に沿って左側方向、すなわち、下部収納部材９００の左側に配設された第２のコネクタ５３０に向かって摺動し、インバータ電極部６３０は、第２のコネクタ５３０に挿入されて電気的及び機械的に接続される。
【００２６】
このように、ガイド部９１０（９１１ａ、９１２ａ）に沿ってインバータユニット６００を移動させながらランプソケットの第２のコネクタ５３０に挿入すると、インバータユニット６００のインバータプリント回路基板６２０は、ガイド部９１０（９１１ａ、９１２ａ）により上下遊動が防がれるので、インバータ電極部６３０、若しくは第２のコネクタ５３０にひび割れが生じることを予防することができる。
【００２７】
なお、本実施形態においては、ガイド部９１０（９１１ａ、９１２ａ）は、下部収納部材の左側に配設された第２のコネクタ５３０に隣設することを例として説明しているが、本発明はこれに何ら限定されるものではなく、ガイド部９１０（９１１ａ、９１２ａ）は下部収納部材の右側に配設された第２のコネクタに隣設されてもよく、両側に設けられてもよい。さらに、インバータユニット６００も下部収納部材の右側に配設された第２のコネクタに挿入されてもよく、両側にそれぞれ別々に挿入されてもよい。
【００２８】
図１１及び図１２は、本発明の第２の実施形態及び第３の実施形態によるバックライトユニットにおいて、インバータユニットを係合する過程を示す状態図である。図１１及び図１２に示す第２の実施形態及び第３の実施形態は、第１の実施形態と比較して、ガイド部９１０の構造が異なり、残りの構成要素は、ほとんど類似している。以下、相異なる構成を中心として説明する。
【００２９】
図１１を参照すると、下部収納部材９００の下部面には、インバータユニット６００（６１０〜６３０）がランプソケットの第２のコネクタ５３０に脱着される経路をガイドするためのガイド部９１０（９１１ｂ、９１２ｂ）が設けられる。このガイド部９１０（９１１ｂ、９１２ｂ）は、下部収納部材９００の下部面の一方の側、本実施形態の図中では、上部側には３個の第１のガイド９１１ｂが設けられ、下部収納部材９００の下部面の他方の側、本実施形態の図中では、下部側には３個の第２のガイド９１２ｂが設けられる。このとき、各第１のガイド９１１ｂは所定の間隔を隔てて設けられ、各第２のガイド９１２ｂも所定の間隔を隔てて設けられる。
また、各第１のガイド９１１ｂ及び各第２のガイド９１２ｂは屈曲した所定の形状を有し、好ましくは、各ガイドは、断面が「Ｌ」字状をなす。なお、本実施形態においては、各ガイドは３個設けられることを例示しているが、その個数は何ら限定されるものではなく、様々に変更可能である。
【００３０】
図１２を参照すると、下部収納部材９００の下部面には、インバータユニット６００（６１０〜６３０）がランプソケットの第２のコネクタ５３０に脱着される経路をガイドするためのガイド部９１０（９１１ｃ、９１２ｃ）が設けられる。このガイド部９１０は、下部収納部材９００の下部面の一方の側、本実施形態の図中では、上部側には第１のガイド９１１ｃが設けられ、下部収納部材９００の下部面の他方の側、本実施形態の図中では、下部側には第２のガイド９１２ｃが設けられる。このとき、第１のガイド９１１ｃ及び第２のガイド９１２ｃは屈曲した所定の形状を有し、好ましくは、各ガイドは断面が「Ｌ」字状をなす。
【００３１】
さらに、インバータプリント回路基板６２０の一方の側の両端にはそれぞれ突出部９２５（９２５ａ、９２５ｂ）が設けられる。第１のガイド９１１ｃ及び第２のガイド９１２ｃは、インバータユニット６００が第２のコネクタ５３０に挿入された場合、突出部９２５（９２５ａ、９２５ｂ）の上部に配設できるように下部収納部材の所定の領域に設けられる。
【００３２】
上記の如き第１のガイド９１１ｃ及び第２のガイド９１２ｃに沿ってインバータユニット６００を移動させながら、インバータユニット６００をランプソケットの第２のコネクタ５３０に挿入すると、インバータユニット６００のインバータプリント回路基板の一方の側の両端に設けられた突出部９２５（９２５ａ、９２５ｂ）はガイド部９１０（９１１ｃ、９１２ｃ）により上下遊動を防止して、インバータプリント回路基板６２０の全体の上下遊動が防がれる。その結果、インバータ電極部６３０、若しくは第２のコネクタ５３０にひび割れが生じることを予防することができる。
【００３３】
図１３は、本発明によるバックライトユニットを備えた液晶表示装置の分解斜視図であり、図１４は、図１３に示す下部収納部材の底面斜視図である。
図１３及び図１４を参照すると、液晶表示装置は、上部収納部材３００、ＬＣＤパネル１００、駆動回路部２２０、２４０、モールドフレーム８００、多数の光学シート７１０、拡散板７２０、ランプ４００及び下部収納部材９００を備える。
【００３４】
駆動回路部２２０、２４０はＬＣＤパネル１００と接続され、コントロールＩＣを搭載すると共に、ＴＦＴ基板１２０のゲート線に所定のゲート信号を加えるためのゲート側プリント回路基板２２４と、コントロールＩＣを搭載すると共に、ＴＦＴ基板１２０のデータ線に所定のデータ信号を加えるためのデータ側プリント回路基板２４４と、ＴＦＴ基板１２０とゲート側プリント回路基板２２４とを接続するためのゲート側の可撓性プリント回路基板２２２と、ＴＦＴ基板１２０とデータ側のプリント回路基板２４４とを接続するためのデータ側の可撓性プリント回路基板２４２とを備える。
【００３５】
ゲート側及びデータ側のプリント回路基板２２４、２４４は、ゲート駆動信号及び外部の画像信号を加えるために、ゲート側及びデータ側の可撓性プリント回路基板２２２、２４２に接続される。このとき、ゲート側及びデータ側のプリント回路基板２２４、２４４を統合して単一のプリント回路基板にしてもよい。さらに、可撓性プリント回路基板２２２、２４２には駆動ＩＣ（図示せず）が搭載されており、プリント回路基板（２２４、２４４）から発せられたＲ（赤色）、Ｇ（緑色）、Ｂ（青色）信号及びデジタル電源などを液晶パネル１００に伝送する。
【００３６】
上部収納部材３００は、ＬＣＤパネル１００及び駆動回路部２２０、２４０が脱離することを防ぐとともに、外部より加えられた衝撃からこれらを保護するために、直角に折り曲げられた平面部と側壁部を有する四角型の形状をしている。
モールドフレーム８００の下部に設けられた収納空間の基底面には、多数の光学シート７１０、拡散板７２０、少なくとも１つ以上のランプ４００及び反射板６００が順次に積層され、その上には（図中では下から）、モールドフレーム８００と結合されてこれらの構成要素を支持するための下部収納部材９００が設けられる。
【００３７】
下部収納部材の一方の側及び他方の側には、それぞれランプソケット５００が係止され、ランプソケット５００の上端部に設けられた第１のコネクタ（図示せず）にはランプ４００が接続され、下端部に設けられた第２のコネクタ５３０（図１４参照）にはインバータユニット６００のインバータ電極部６３０が接続される。また、下部収納部材９００の下部面には、インバータユニット６００（６１０〜６３０）がランプソケットの第２のコネクタ５３０に脱着される経路をガイドするためのガイド部９１０（９１１ａ〜９１２ｃ）が設けられる。
【００３８】
以上、実施形態を挙げて本発明による、ランプソケットと係合されるインバータユニットのひび割れを防止するためのひび割れ防止構造が設けられたバックライトユニット及びこれを備えた液晶表示装置について説明したが、これらは単なる例示的なものに過ぎず、本発明は、上述の実施形態に限られるものではない。本発明の技術的範囲から逸脱しない範囲内で多様に変更実施することが可能である。
【図面の簡単な説明】
【００３９】
【図１】（ａ）は本発明によるランプソケットの概略的な斜視図であり、（ｂ）はその側面図である。
【図２】本発明によるランプソケットが下部収納容器と係合された状態を示す概略断面図である。
【図３】本発明によるランプソケットにランプが係合された状態を示す平面図である。
【図４】本発明によるランプソケットにランプが係合された状態を示す斜視図である。
【図５】本発明によるランプの概略断面図である。
【図６】本発明によるインバータユニットの概略平面図である。
【図７】図６の部分拡大図である。
【図８】本発明の第１の実施形態によるバックライトユニットにおいて、インバータユニットを係合する過程を示す状態図である。
【図９】本発明の第１の実施形態によるバックライトユニットの下部収納部材の底面斜視図である。
【図１０】本発明の第１の実施形態によるバックライトユニットの下部収納部材の側面図である。
【図１１】本発明の第２の実施形態によるバックライトユニットにおいて、インバータユニットを係合する過程を示す状態図である。
【図１２】本発明の第３の実施形態によるバックライトユニットにおいて、インバータユニットを係合する過程を示す状態図である。
【図１３】本発明によるバックライトユニットを備えた液晶表示装置の分解斜視図であり、
【図１４】図１３に示す下部収納容器の底面斜視図である。
【符号の説明】
【００４０】
４００      ランプ
５００      ランプソケット
５１０      ボディ
５２０      第１のコネクタ
５３０      第２のコネクタ
６００      インバータユニット
６１０      インバータ
６２０      インバータプリント回路基板
６３０      インバータ電極部
９００      下部収納部材
９１０      ガイド部
９１１ａ、９１１ｂ、９１１ｃ    第１のガイド
９１２ａ、９１２ｂ、９１２ｃ    第２のガイド
９２５（９２５ａ、９２５ｂ）    突出部
【図１】
2008027880.tif 000003
【図２】
2008027880.tif 000004
【図３】
2008027880.tif 000005
【図４】
2008027880.tif 000006
【図５】
2008027880.tif 000007
【図６】
2008027880.tif 000008
【図７】
2008027880.tif 000009
【図８】
2008027880.tif 000010
【図９】
2008027880.tif 000011
【図１０】
2008027880.tif 000012
【図１１】
2008027880.tif 000013
【図１２】
2008027880.tif 000014
【図１３】
2008027880.tif 000015
【図１４】
2008027880.tif 000016